(57)【要約】      （修正有）【課題】強度が高く、軽量で更に湿気を防止するフレームレス・ペインティング構造を提供する。【解決手段】フレームレス・ペインティング構造１０は発泡ボード１、図画層２及びもしくは複数両面テープを含む。発泡ボード１は相対する第一面１１及び第二面１２を備え、図画層２は第一面１１上に被覆し、両面テープは、第二面１２上に粘着する。これにより、発泡ボード１は実心板及び本身材質となる。【選択図】図２
0003215774.tif 000002
【実用新案登録請求の範囲】
【請求項１】
フレームレス・ペインティング構造において、
相対する第一面１１及び一第二面１２を備える発泡ボードと、
該第一面１１上に被覆する図画層と、
該第二面１２上に粘着する少なくとも一両面テープ３を含むことを特徴とするフレームレス・ペインティング構造。
【請求項２】
前記発泡ボード１は、ＫＴボード、ＰＶＣ発泡ボード、ＰＰ発泡ボード、硬質ゲータフォーム、紙質ゲータフォーム、発泡スチロール、ポリスチレン板もしくはＥＰＥ板であることを特徴とする請求項１記載のフレームレス・ペインティング構造。
【請求項３】
前記図画層２は画用紙で該第一面１１に貼着して構成することを特徴とする請求項１または２記載のフレームレス・ペインティング構造。
【請求項４】
前記図画層２は、印刷層で該第一面１１にプリントして構成することを特徴とする請求項１または２記載のフレームレス・ペインティング構造。
【請求項５】
前記発泡ボード１は該第一面１１と該第二面１２の間に形成する側周囲面１３を備え，該図画層２は更に該側周囲面１３で被覆することを特徴とする請求項１または２記載のフレームレス・ペインティング構造。
【請求項６】
前記図画層２は、画用紙で該第一面１１及び該側周囲面１３に貼着して構成することを特徴とする請求項５記載のフレームレス・ペインティング構造。
【請求項７】
前記図画層２は、印刷層で該第一面１１及び該側周囲面１３にプリントして構成することを特徴とする請求項５記載のフレームレス・ペインティング構造。
【請求項８】
前記発泡ボード１は該第一面１１と該第二面１２の間に形成する側周囲面１３を備え，該図画層２は更に該側周囲面１３及び該第二面１２の一部で被覆することを特徴とする請求項１または２記載のフレームレス・ペインティング構造。
【請求項９】
前記図画層２は、画用紙で該第一面１１、該側周囲面１３及び該第二面１２の一部に貼着して構成することを特徴とする請求項８記載のフレームレス・ペインティング構造。
【請求項１０】
前記図画層２は、印刷層で該第一面１１、該側周囲面１３及び該第二面１２の一部にプリントして構成することを特徴とする請求項８記載のフレームレス・ペインティング構造。
【請求項１１】
前記両面テープ３はフォーム両面テープであることを特徴とする請求項１または２記載のフレームレス・ペインティング構造。
【請求項１２】
前記両面テープ３の数は複数であり，該発泡ボード１は多角形板であり、該第二面１２は複数の角隅区１２１を備え、各該両面テープ３は各該角隅区１２１上にそれぞれ粘着することを特徴とする請求項１または２記載のフレームレス・ペインティング構造。
【考案の詳細な説明】
【技術分野】
【０００１】
本考案は、絵のフレーム構造に関するもので、且つ特にフレームレス
・ペインティング構造に係る。
【背景技術】
【０００２】
現代人は、美感及びセンスを重視し、通常家庭では撮影作品もしくは絵画作品等の芸術品を壁に掛ける。そのうちフレームレス・ペインティングは主に画用紙を直接木質の円形フレームもしくは木質板体に貼着して構成する。故にフレームレス・ペインティングはフレームレス設計及び大きな図画を出力できるという長所を備えるようになり、市場では撮影作品もしくは絵画作品等の芸術品をフレームレス・ペインティング方式で設置する方法が益々選択されている。
【先行技術文献】
【特許文献】
【０００３】
【特許文献１】特開2004-195160号公報
【考案の概要】
【考案が解決しようとする課題】
【０００４】
解決しようとする問題点は、仮にフレームレス・ペインティングを木質の円形フレームで製作した場合、フレームレス・ペインティングの中間箇所が刺さったり、ぶつかったりした時、画用紙が破れたり、切れたり等破損してしまう。仮にフレームレス・ペインティングが木質の板体で構成する場合、フレームレス・ペインティングは非常に重くなるという問題が起こる。そのため、如何にしてフレームレス・ペインティングの構造強度を高め、フレームレス・ペインティングの重さを軽減するかが課題となる。
【０００５】
拠って、本考案者は、上述の現有する技術に対し、研究を重ね、上述の問題を改善することを本考案の課題とする。
【課題を解決するための手段】
【０００６】
本考案は、発泡ボード、図画層及びもしくは複数両面テープを含む。発泡ボードは相対する第一面及び第二面を備え、図画層は第一面上に被覆し、両面テープは、第二面上に粘着する。これにより、発泡ボードは実心板及び本身材質となることを最も主要な特徴とする。
【考案の効果】
【０００７】
本考案のフレームレス・ペインティング構造は、強度が高く、軽量で更に湿気を防止するという利点がある。
【図面の簡単な説明】
【０００８】
【図１】本考案のフレームレス・ペインティング構造の立体分解図である。
【図２】本考案のレームレス・ペインティング構造の立体組立図である。
【図３】本考案のフレームレス・ペインティング構造の別の立体組立図である。
【図４】本考案のフレームレス・ペインティング構造の使用状態指示図である。
【図５】本考案のフレームレス・ペインティング構造の別の実施例の断面指示図である。
【図６】本考案のフレームレス・ペインティング構造の更に別の実施例の断面指示図である。
【考案を実施するための形態】
【０００９】
本考案は、フレームレス・ペインティング構造を提供する。それは発泡ボードが実心板及び本体材質特性となり、発泡ボードは
構造が安定し、重量が軽量化し、防湿の特徴を備える。拠ってフレームレス・ペインティング構造は構造強度の向上、重量軽減及び防湿の効果を備える。
【００１０】
本考案実施例において、フレームレス・ペインティング構造を提供する。それは相対する第一面及び第二面を備える発泡ボード、該第一面上に被覆する図画層、及び該第二面に粘着する少なくとも一両面テープを含む。
【００１１】
上述に基づき、発泡ボードを公知の木質の円形フレームもしくは木質板体と同じ体積において比較した場合、発泡ボードの重量は更に軽く，発泡ボードの厚みを増やしても体積が大きすぎたり重すぎたりする問題が発生しない。故に、フレームレス・ペインティング構造によって厚みを増やして立体感を出しやすくなる。
【実施例１】
【００１２】
本考案の詳細説明及び技術?容について、図式と共に以下に説明するが、図式は説明するためのものであり、本考案を制限するものではない。
【００１３】
図１から図４に示すとおり、本考案はフレームレス・ペインティング構造を提供する。該フレームレス・ペインティング構造１０は主に発泡ボード１、図画層２及びもしくは複数両面テープ３を含む。
【００１４】
図１から図４に示すとおり、発泡ボード１は、ＫＴボード、ＰＶＣ発泡ボード、ＰＰ発泡ボード、硬質ゲータフォーム、紙質ゲータフォーム、発泡スチロール、ポリスチレン板もしくはＥＰＥ板等実心板である。発泡ボード１は相対する第一面１１、第二面１２及び第一面１１と第二面１２の間に形成する側周囲面１３を備える。そのうち，本実施例の発泡ボード１は多角形板で、第二面１２は複数の角隅区１２１を備えるが、発泡ボード１は、円形、楕円形、多角形等幾何形状板でもよく、実施例に拠って制限されない。
【００１５】
図１から図４に示すとおり、図画層２は第一面１１上に被覆する。そのうち図画層２が画用紙４で第一面１１に貼着して構成するか、もしくは図画層２が印刷層で第一面１１にプリントして構成する。
【００１６】
図３から図４に示すとおり、両面テープ３は、第二面１２上に粘着し，フレームレス・ペインティング構造１０を両面テープ３で壁面１００上に貼着し、室内環境を飾る目的を達成する。そのうち，本実施例の両面テープ３はフォーム両面テープであり、且つ本実施例の両面テープ３の数は複数であり，各両面テープ３は各角隅区１２１上にそれぞれ粘着するが、これに制限されない。
【００１７】
図１から図４に示すのは。本考案フレームレス・ペインティング構造１０の組立であり、それは相対する第一面１１及び第二面１２を備える発泡ボード１、第一面１１上に被覆する図画層２、第二面１２上に粘着する両面テープ３を用いる。これらに拠って発泡ボード１は実心板及び本体材質特性となり、発泡ボード１は構造が安定し、軽量で防湿等の長所を備え、フレームレス・ペインティング構造１０は構造強度向上、重量軽減及び防湿効果を達成する。
【００１８】
発泡ボード１を公知の木質の円形フレームもしくは木質板体と同じ体積において比較した場合、発泡ボード１の重量は更に軽く，発泡ボード１の厚みを増やしても体積が大きすぎたり重すぎたりする問題が発生しない。故に、フレームレス・ペインティング構造によって厚みを増やして立体感を出しやすくなる。
【実施例２】
【００１９】
図５は、本考案フレームレス・ペインティング構造１０の別の実施例である。図５の実施例と図１から図４の実施例はおよそ同じであり、図５の実施例と図１から図４の実施例が異なる箇所は、図画層２が第一面１１及び側周囲面１３上で被覆する点である。
【００２０】
詳細に説明すると、図画層２は第一面１１及び側周囲面１３上で被覆し、図画層２によって側周囲面１３を被覆し、図画層２外周辺縁の色と視覚が一致することから、フレームレス・ペインティング構造１０の美観が向上する。
【００２１】
そのうち，図画層２が画用紙で第一面１１及び側周囲面１３に貼着して構成するか、もしくは図画層２が印刷層で第一面１１及び側周囲面１３にプリントして構成する。
【実施例３】
【００２２】
図6に示すのは、本考案フレームレス・ペインティング構造１０の更に別の実施例である。図6の実施例と図５の実施例はほぼ同じであるが、図6の実施例と図５の実施例の異なる点は、図画層２が更に第二面１２の一部にも被覆する点にある。
【００２３】
更に図画層２は第一面１１、側周囲面１３及び第二面１２の一部上に被覆し、図画層２で側周囲面１３を更に確実完全に遮蔽する。図画層２の外周辺縁の色を一致させることで更にフレームレス・ペインティング構造１０の美観を向上させる他に、図画層２も発泡ボード１上に安定して結合する。
【００２４】
そのうち，図画層２が画用紙で第一面１１、側周囲面１３及び第二面１２の一部に貼着して構成するか、もしくは図画層２が印刷層で第一面１１、側周囲面１３及び第二面１２の一部にプリントして構成する。
【００２５】
上述のとおり、本考案のフレームレス・ペインティング構造は、予定の使用目的がはっきりしており、公知の欠点を解決し、産業利用性、新奇性及び進歩性を備えることから、実用新案登録の申請要項に完全に符合している。
【符号の説明】
【００２６】
１０        フレームレス・ペインティング構造
１        発泡ボード
１１        第一面
１２        第二面
１２１        角隅区
１３        側周囲面
２        図画層
３        両面テープ
１００        壁面
【図１】
0003215774.tif 000003
【図２】
0003215774.tif 000004
【図３】
0003215774.tif 000005
【図４】
0003215774.tif 000006
【図５】
0003215774.tif 000007
【図６】
0003215774.tif 000008